(57)【要約】【課題】ボールペンリフィル又はシャープペンシルユニットなどの径の小さい筆記体についても、それらを散在させずに常に整列した状態で収容できるとともに、その収容された筆記体を容易に取出し可能なリフィルケースを提供する。【解決手段】筆記具に装着されるリフィルを収容可能なリフィルケースにおいて、前記リフィルケースは、可撓性を有する軟質材料で平板形状に形成されるとともに、該リフィルケースの天面を開口して前記リフィルを収容すべく、該リフィルケースの長手方向に沿って形成された複数の収容溝を有しており、各収容溝の少なくとも一部分における前記開口の幅は、該収容溝中における最大幅よりも小さくなるように形成されている。【選択図】図３
2016215479.tif 000002
【特許請求の範囲】
【請求項１】
筆記具に装着されるリフィルを収容可能なリフィルケースにおいて、
前記リフィルケースは、可撓性を有する軟質材料で平板形状に形成されるとともに、該リフィルケースの天面を開口して前記リフィルを収容すべく、該リフィルケースの長手方向に沿って形成された複数の収容溝を有しており、
各収容溝の少なくとも一部分における前記開口の幅は、該収容溝中における最大幅よりも小さくなるように形成されていることを特徴とするリフィルケース。
【請求項２】
前記収容溝は、該収容溝の全長に渡って開口していることを特徴とする請求項１に記載のリフィルケース。
【発明の詳細な説明】
【技術分野】
【０００１】
本発明は、ボールペンリフィルやシャープペンシルユニットなどの互換性を有するリフィルを収容するためのリフィルケースに関する。
【背景技術】
【０００２】
従来から、軸筒の内部に収容された複数のリフィルの中から選択した一つで筆記が行えるようにした複式筆記具が利用されている。
この複式筆記具は、使用によりリフィル内のインクを消費し尽くした場合や、状況により現在複式筆記具内に収容されているリフィルとは異なる色のインクが収容されたリフィルを使用したい場合などに、他のリフィルと交換可能に形成されている。
このとき、交換用のリフィルは、その全長が短い上、その径も小さく、購入時の包装からリフィルを取り出してしまうと、紛失しやすくなってしまうため、控えとして交換用のリフィルを単体で携帯することは困難である。また、他の筆記具と一緒に筆箱内に収容して携帯する場合であっても、リフィルの筆記先端を覆う保護部材を外してしまうと、筆記先端が露出されるため、筆箱内の他の筆記具との接触によりリフィル内のインクが付着して、他の筆記具を汚してしまう可能性もある。
【０００３】
そこで、リフィルを散在させずに常に整列した状態で収容すべく、下記特許文献１には、スリーブ式外箱と、このスリーブ式外箱に挿脱自在な内箱とを有しており、この内箱内に色鉛筆等を収容する筆記具用ケースであって、内箱の長手方向全長に仕切壁を設けて、収容物（色鉛筆等）の脱落防止を目的とする技術が開示されている。
【先行技術文献】
【特許文献】
【０００４】
【特許文献１】特開平９−２２４７３１号公報
【発明の概要】
【発明が解決しようとする課題】
【０００５】
ここで、上記内箱はプラスチックから形成されているため、素材の柔軟性に欠けることとなる。そのため、色鉛筆等の脱落防止を目的として形成された収容部の溝であれば、その幅に指を沿わせて所定の色鉛筆等を取り出すことが可能であるが、ボールペンリフィルのような径の小さい筆記体の脱落防止を目的として形成された収容部の溝にあっては、その幅に指を沿わせて所定のボールペンリフィルを取り出すことは困難となる。
そこで、本発明は、色鉛筆等だけでなくボールペンリフィル又はシャープペンシルユニットなどの径の小さい筆記体についても、それらを散在させずに常に整列した状態で収容できるとともに、その収容された筆記体を容易に取出し可能なリフィルケースを提供することを課題とする。
【課題を解決するための手段】
【０００６】
上記課題を解決するために、本発明は、以下のような構成を備える。
（第１の発明）
本発明のうち第１の発明は、筆記具に装着されるリフィルを収容可能なリフィルケース10において、前記リフィルケース10は、可撓性を有する軟質材料で平板形状に形成されるとともに、該リフィルケース10の天面を開口して前記リフィルを収容すべく、該リフィルケース10の長手方向に沿って形成された複数の収容溝20を有しており、各収容溝20の少なくとも一部分における前記開口の幅は、該収容溝20中における最大幅よりも小さくなるように形成されていることを特徴とする。
【０００７】
ここで、「軟質材料」とは、可撓性を有する材料を指す。この可撓性を有する材料としては、たとえば、シリコーンゴム、ニトリルゴム、エチレンプロピレンゴム、エチレンプロピレンジエンゴム等のゴム材質やスチレン系エラストマー、オレフィン系エラストマー、ポリエステル系エラストマー等の熱可塑性エラストマーといった弾性材料、２種以上の弾性材料の混合物、及び、弾性材料と合成樹脂との混合物が挙げられる。
また、「平板形状」とは、平らな板状に形成され、かつ、リフィルを収容可能な全長を備えていれば、その外観は方形であっても、円形であってもよい。さらに、この「平板形状」の厚みは、リフィルの直径を収容可能な程度に形成されている。
【０００８】
（第２の発明）
本発明のうち第２の発明は、前記した第１の発明の特徴に加え、前記収容溝20は、該収容溝20の全長に渡って開口していることを特徴とする。
【発明の効果】
【０００９】
本発明は、以上のように構成されているので、以下の効果を奏する。
（第１の発明の効果）
第１の発明によれば、本発明におけるリフィルケースは、可撓性を有する軟質材料から形成されているため、ボールペンリフィル又はシャープペンシルユニットなどの径の小さい筆記体についても、リフィルケースを柔軟に変形させることでそれらの筆記体を容易に取出すことが可能となっている。
また、各収容溝の開口の幅は、少なくとも一部分の径が該収容溝の最大径よりも小さくなるように形成されているため、ボールペンリフィル又はシャープペンシルユニットなどの径の小さい筆記体についても、散在させずに常に整列した状態で収容することが可能となっている。
【００１０】
（第２の発明の効果）
第２の発明によれば、本発明におけるリフィルケースは、収容溝がその全長に渡って開口しているため、収容溝の内、最大径の幅を有する部分からリフィルに充填されたインクの色などが視認しやすくなり、取出しの際の手間を軽減することができる。
【図面の簡単な説明】
【００１１】
【図１】本発明の実施形態に係るリフィルケースの平面図である。
【図２】本発明の実施形態に係るリフィルケースの底面図である。
【図３】本発明の実施形態に係るリフィルケースの斜視図である。
【図４】本発明の実施形態に係るリフィルケースの側面図である。
【図５】本発明の実施形態に係るリフィルケースの断面図（Ａ）〜（Ｃ）である。
【発明を実施するための最良の形態】
【００１２】
以下、図面を参照しつつ、本発明の実施形態に係るリフィルケース10について説明する。
（リフィルケース10）
図１は、本発明の実施形態に係るリフィルケース10の平面図、図２は、本発明の実施形態に係るリフィルケース10の底面図、図３は、本発明の実施形態に係るリフィルケース10の斜視図、図４は、本発明の実施形態に係るリフィルケース10の側面図、図５は、本発明の実施形態に係るリフィルケース10の断面図（Ａ）〜（Ｃ）である。なお、以下の説明においては、図１及び図３に示した面を「天面部30」、図２に示した面を「底面部40」とする。
【００１３】
（天面部30）
図１又は図３に示すように、リフィルケース10は、平板形状の外観を呈しており、その長手方向には、リフィルを収容すべく、当該リフィルケース10に沿って形成された複数の収容溝20を有している。
また、リフィルケース10の天面部30には、閉口部分の表面積が大きいリフィルケース前部11と、このリフィルケース前部11よりも閉口部分の表面積が小さいリフィルケース後部12とを備えている。
【００１４】
ここで、本発明の実施形態において、リフィルケース10及びその構成要素についての「前方」とはリフィルケース前部11を備えた方向を示し、「後方」とはその反対側の方向を示すものとする。また、本発明の実施形態における「上」や「下」等の上下方向は、底面部40がテーブル等に接触した状態において、天面部30に向けた方向を「上方向」とし、「下方向」とはその反対側の方向を示すものとする。
（収容溝20）
図１又は図３に示すように、収容溝20は、天面部30の長手方向に沿って形成されており、この天面部30の中央部分に形成され、開口の幅が収容溝20のうち最大径である視認部23と、この視認部23の前端に連接している収容溝前部21と、視認部23の後端に連接している収容溝後部22とから構成されている。
【００１５】
（視認部23）
視認部23は、上述したように、収容溝前部21及び収容溝後部22と比して、その開口の幅の径が大きくなるように形成されている。そのため、視認部23から、収容溝20に収容されたリフィルの種類や色等を識別しやすくなっている。
（収容溝前部21）
収容溝前部21は、その溝内にリフィルの筆記先端が収容されるものである。この収容溝前部21の開口の幅は、視認部23の開口の幅の径の略半分の径で形成されている。
【００１６】
また、収容溝前部21は、図５（Ａ）に示すように、その前端には、リフィルの筆記先端を保護すべく、天面部30からは視認できない保護孔50が形成されている。すなわち、この保護孔50内に筆記先端が収容されるため、筆記先端が受ける衝撃の軽減を図ることができる結果、リフィルを破損から保護することが可能となっている。
なお、上述のように、リフィルケース10は、可撓性を有する軟質材料から形成されているが、リフィルの筆記先端がその軟質材料と接触してもリフィルが筆記不能とならない素材を適宜選択して形成されている。たとえば、シリコーンゴム、ニトリルゴム、エチレンプロピレンゴム、エチレンプロピレンジエンゴム等のゴム材質やスチレン系エラストマー、オレフィン系エラストマー、ポリエステル系エラストマー等の熱可塑性エラストマーといった弾性材料、２種以上の弾性材料の混合物、及び、弾性材料と合成樹脂との混合物が挙げられる。
【００１７】
（収容溝後部22）
収容溝後部22は、その溝内にリフィルの後部が収容されるものである。この収容溝後部22の開口の幅は、上記収容溝前部21の開口の幅の径と同程度の径で形成されている。
（底面部40）
図２に示すように、リフィルケース10の底面部40は閉口しており、天面部30とは異なり収容溝20が形成されていない。
（図４）
図４は、本発明の実施形態に係るリフィルケース10の側面図である。ここで、当該側面図に示す、リフィルケース10の平板形状の厚みは、リフィルの直径を収容可能な程度に形成されている。
【００１８】
（図５）
図５は、本発明の実施形態に係るリフィルケース10の断面図（Ａ）〜（Ｃ）である。図５（Ａ）は、図４に示すＡ−Ａ断面図であり、図５（Ｂ）は、図４に示すＢ−Ｂ断面図であり、図５（Ｃ）は、図４に示すＣ−Ｃ断面図である。
図５（Ａ）は、リフィルケース前部11の前端付近についての断面を示したものであって、リフィルの筆記先端を収容して保護すべく、保護孔50が形成されている。
図５（Ｂ）は、リフィルケース前部11の後端付近についての断面を示したものであって、収容溝前部21の開口の幅Ｘを示したものである。ここで、収容溝前部21の開口の幅Ｘは、収容溝前部21に収容されるリフィルの径よりもやや小さく形成されているが、リフィルケース10を柔軟に変形させてリフィルを収容することができるため、径の小さいリフィルを散在させずに常に整列した状態で収容することが可能となっている。
【００１９】
図５（Ｃ）は、リフィルケース10の胴部分、すなわち視認部23が形成されている箇所についての断面を示したものであって、視認部23の開口の幅Ｙを示したものである。ここで、視認部23の開口の幅Ｙは、視認部23に収容されるリフィルの径と略同一に形成されているため、リフィルケース10にリフィルを収容した状態であっても、当該視認部23の開口の幅Ｙからリフィルに充填されたインクの色などを視認でき、取出しの際の手間を軽減することができる。
（リフィルケース10の形成方法）
本発明の実施形態に係るリフィルケース10は、可撓性を有する軟質材料を、例えば直圧成形などの方法を用いて、金型成形により形成される。なお、金型成型方法は特に限定されるものではなく、用途や製品に応じて、直圧注入成形や射出成形などの方法を用いることも可能である。
【００２０】
すなわち、本発明の実施形態に係るリフィルケース10は、他の部品を用いずに上記可撓性を有する軟質材料の単一部品のみから形成されている。
（その他）
なお、図１又は図３においては、各収容溝20は同一の形状で形成されているが、各収容溝20の形状は、この構成には限定されない。例えば、１つの収容溝20の開口の幅を、その他の収容溝20の開口の幅とは異なる径（大きい又は小さい）で形成することも可能である。
【００２１】
この構成によれば、１つの収容溝20の開口の幅の径がその他の収容溝20の開口の幅の径よりも大きい場合には、ボールペンリフィル又はシャープペンシルユニットなどの筆記体だけでなく、その筆記体が収容されるボールペン自体をも収容することが可能となる。一方、１つの収容溝20の開口の幅の径が、その他の収容溝20の開口の幅の径よりも小さい場合には、シャープペンシルユニットに充填されるシャープペンシルの替え芯などについても併せて収容することが可能となる。
（リフィルケース10への収容方法）
次に、本発明の実施形態に係るリフィルケース10への収容方法について説明する。
【００２２】
まず、リフィルの筆記先端が収容溝前部21の保護孔50内に収容されるまで、収容溝前部21に沿って当該筆記先端を挿入する。そして、リフィルの胴部分を視認部23に沿って収容していき、最後にリフィルの後部と収容溝後部22とを接触させ、当該リフィルの後部を下方向に押圧して収容溝後部22内に押し込むことで、リフィルが収容溝20内に収容される。
（リフィルケース10からの取出し方法）
続いて、本発明の実施形態に係るリフィルケース10からの取出し方法について説明する。
【００２３】
まず、天面部30を上方向に向けた状態で、左手の親指と人差し指とでリフィルケース前部11を把持し、右手の親指と人差し指とでリフィルケース後部12を把持する。そして、リフィルケース後部12を下方向（底面部40側）に反り返らせることで、収容溝後部22とリフィルの後部との接続が解除され、リフィルケース10からリフィルの後部が露出する。最後にその露出したリフィルの後部を把持しながら、リフィルの胴部分と視認部23、リフィルの筆記先端と収容溝前部21との接続を解除することで、収容溝20に収容されたリフィルを取り出すことができる。
【００２４】
なお、上述した、「リフィルケース10への収容方法」及び「リフィルケース10からの取出し方法」はあくまでも例示列挙であり、これらの方法に限定されるものではない。
（リフィルケース10の特性）
本発明の実施形態に係るリフィルケース10は、可撓性を有する軟質材料から形成されているため、ボールペンリフィル又はシャープペンシルユニットなどの径の小さい筆記体についても、リフィルケース10を柔軟に変形させることでそれらの筆記体を容易に取出すことが可能となっている。
【００２５】
また、収容溝前部21及び収容溝後部22の開口の幅を、視認部23の径よりも小さく、かつ、ボールペンリフィル又はシャープペンシルユニットなどの径の小さい筆記体を収容可能な程度の径としたため、これらの径の小さい筆記体を散在させずに常に整列した状態で収容することが可能となっている。
さらに、本発明の実施形態に係るリフィルケース10は、可撓性を有する軟質材料のみの単一の部品から形成されているため、製作面及びコスト面にも優れたものとなっている。
【符号の説明】
【００２６】
10  リフィルケース                            11  リフィルケース前部
12  リフィルケース後部  
20  収容溝                                    21  収容溝前部
22  収容溝後部                                23  視認部
30  天面部                                    40  底面部
50  保護孔
【図１】
2016215479.tif 000003
【図２】
2016215479.tif 000004
【図３】
2016215479.tif 000005
【図４】
2016215479.tif 000006
【図５】
2016215479.tif 000007